【事件の表示】
　特許第２８０６４９４号「メッセージ受信装置」の特許に対する特許異議の申立てについて、次のとおり決定する。
【結論】
　特許第２８０６４９４号の特許を取り消す。
【理由】
Ｉ　手続きの経緯
　本件特許第２８０６４９４号発明（以下「本件特許発明」という）は、昭和６２年９月３０日に出願された実願昭６２−１４９３８３号の実用新案登録願を実用新案法第９条第１項で準用する特許法第４４条第１項の規定により平成５年８月９日に分割出願して実願平５−４３５０５号とし、更に特許法第４６条第１項の規定により平成６年４月２０日に特許出願に変更し、平成１０年７月２４日にその特許の設定登録がなされたものであり、その後、平成１１年３月３０日に今山雅之より特許異議の申立てがなされ、平成１１年６月１７日に取消理由通知がなされたものである。
ＩＩ　特許異議申立の理由の要旨
　本件特許発明は、甲第１号証（特開昭５８−１３１８３１号公報）、甲第２号証（特開昭５９−２２６９９４号公報）、甲第３号証（特開昭５９−３２２３２号公報）、及び甲第４号証（特開昭６０−２３０７２６号公報）に記載された発明に基づいて、当業者が容易に発明をすることができたものであるから、特許法第２９条第２項の規定により特許を受けることができないものである。
ＩＩＩ　特許異議申立の理由の適否
１　本件特許発明
　本件特許発明の目的、効果は「重要であるメッセージ情報を」「確実に記憶しておくこと」、及び「特別の読み出し操作を行わなくてもそのメッセージ情報の着信順位や前後に受信されたメッセージ情報を確認すること」であり、
その発明の構成は、
「メッセージ情報を受信する受信手段と、
　複数のメッセージ情報が記憶可能な記憶エリアを有し、上記受信手段が新たなメッセージ情報を受信する毎に受信したメッセージ情報を記憶するメッセージ記憶手段と、
　上記メッセージ記憶手段に記憶されている複数のメッセージ情報の内の所望のメッセージ情報を保護すべきメッセージ情報として登録する登録手段と、
　上記受信手段が新たなメッセージ情報を受信した際に上記メッセージ記憶手段に当該メッセージ情報を記憶出来る記憶エリアが残っていなかった場合、上記登録手段により登録されたメッセージ情報以外のメッセージ情報を自動消去する消去手段と、
　上記メッセージ記憶手段に記憶のメッセージ情報を上記登録手段により登録されたメッセージ情報を含めて着信順に表示させる表示制御手段と
　を具備したことを特徴とするメッセージ受信装置」である。
（特許請求の範囲の欄１．或いは【課題を解決するための手段】の欄の記載参照）
２　刊行物記載発明
　刊行物１（特開昭５８−１３１８３１号公報（昭和５８年８月５日特許庁発行））には、
　メッセージ情報を受信する（「アンテナ１」、「高周波および中間周波回路２」、「ディスクリミネータ３」から成る）受信手段と、
　複数のメッセージ情報が記憶可能な記憶エリアを有し、上記受信手段が新たなメッセージ情報を受信する毎に受信したメッセージ情報を記憶する（「シフトレジスタ４−８〜４−１１」から成る）メッセージ記憶手段と、
　上記メッセージ記憶手段に記憶されている複数のメッセージ情報の内の所望のメッセージ情報を保護すべきメッセージ情報として（記憶し）登録する（「シフトレジスタ４−１２」から成る）登録手段と、
　上記受信手段が新たなメッセージ情報を受信した際に上記メッセージ記憶手段に当該メッセージ情報を記憶出来る記憶エリアが残っていなかった場合、上記登録手段により登録されたメッセージ情報以外の（「シフトレジスタ４−１１」に記憶されている）メッセージ情報を自動消去する（「シフトレジスタ４−７」を主要素とする）消去手段と、
　上記メッセージ記憶手段に記憶のメッセージ情報を上記登録手段により登録されたメッセージ情報を含めて表示させる（「表示駆動回路５」を主要素とする）表示制御手段と
　を具備した（「無線選択呼出し受信機」から成る）メッセージ受信装置、
であって、
　重要であるメッセージ情報を確実に記憶しておくことができる、
という発明（以下、「第１の発明」という）と、
　上記受信手段と、上記メッセージ記憶手段と、
　上記受信手段が新たなメッセージ情報を受信した際に上記メッセージ記憶手段に当該メッセージ情報を記憶出来る記憶エリアが残っていなかった場合、メッセージ情報を自動消去する（「シフトレジスタ４−７」を主要素とする）消去手段と、
　上記メッセージ記憶手段に記憶のメッセージ情報を着信順に表示させる表示制御手段と
　を具備したメッセージ受信装置、
であって、
　特別の読み出し操作を行わなくても或るメッセージ情報の着信順位や前後に受信されたメッセージ情報を確認することができる、
という発明（以下、「第２の発明」という）が記載されている。
３　本件特許発明の創作可能性
　本件特許発明（以下、「前者」という）と刊行物１に記載された第１の発明（以下、「後者」という）とを比較すると、
　両者が、
　重要であるメッセージ情報を確実に記憶しておくこと、を目的、効果とし、
　メッセージ情報を受信する受信手段と、
　複数のメッセージ情報が記憶可能な記憶エリアを有し、上記受信手段が新たなメッセージ情報を受信する毎に受信したメッセージ情報を記憶するメッセージ記憶手段と、
　上記メッセージ記憶手段に記憶されている複数のメッセージ情報の内の所望のメッセージ情報を保護すべきメッセージ情報として登録する登録手段と、
　上記受信手段が新たなメッセージ情報を受信した際に上記メッセージ記憶手段に当該メッセージ情報を記憶出来る記憶エリアが残っていなかった場合、上記登録手段により登録されたメッセージ情報以外のメッセージ情報を自動消去する消去手段と、
　上記メッセージ記憶手段に記憶のメッセージ情報を上記登録手段により登録されたメッセージ情報を含めて表示させる表示制御手段と
　を具備したメッセージ受信装置、
を構成要件としている点で一致しており、
▲１▼　前者が、着信順に表示制御しているのに対して、後者が登録されたメッセージ情報を別に表示制御している点、
で相違している。
　従って、本件特許発明は、刊行物１に記載された第１の発明において、▲１▼′着信順に表示制御することにより、発明をすることができたものである。
４　本件特許発明の創作容易性
　上記▲１▼′について検討する。
　特別の読み出し操作を行わなくても或るメッセージ情報の着信順位や前後に受信されたメッセージ情報を確認するために、メッセージ記憶手段に記憶のメッセージ情報を着信順に表示させる表示制御手段を具備したメッセージ受信装置は、刊行物１に第２の発明として記載されているので、
　刊行物１に記載された第１の発明において、
　着信順に表示制御して本件特許発明のようにすることは、当業者が容易になし得たことである。
５　なお、特許異議申立人今山雅之が提出した甲第３号証及び甲第４号証には、メッセージ記憶手段に記憶されたメッセージ情報を重要であるメッセージ情報を含めて表示させるよう表示制御するメッセージ受信装置であって、重要であるメッセージ情報を優先させて表示しその他を着信順に表示制御することが記載されている。
　これらのものは、重要であるメッセージ情報を優先させて表示するため特別の処理を行っているものであり、特別の処理を行わない従来のものでは、その重要であるメッセージ情報を含めて着信順に表示制御していると思量される。
６　結び
　以上１〜５項を総合して判断すると、本件特許発明は、刊行物１に記載された第１の発明に基づいて当業者が容易に発明をすることができたものであるから、本件特許は、特許法第２９条第２項の規定に違反してなされたものである。
ＩＶ　結び
　以上述べた通り、本件特許は、特許法第１１３条第１項第２号に該当するので、取り消すべきものである。
　よって、結論のとおり決定する。
【異議決定日】
平成１１年１０月８日（１９９９．１０．８）